(57)【要約】【課題】より的確に複数の蓄電素子の接続状態を確保することの可能な蓄電装置を提供する。【解決手段】蓄電装置１０は、Ｚ軸方向に並べて配置される複数の蓄電素子２０と、Ｚ軸方向に積層して配置される複数の絶縁性部材３１と、複数の絶縁性部材３１をＺ軸方向において挟み込む外壁部材３３，３４と、を備える。Ｚ軸方向において隣り合う２つの蓄電素子２０，２０のそれぞれの電極端子は、Ｚ軸方向において隣り合う２つの絶縁性部材３１，３１の間に挟み込まれて接触している。【選択図】図１
2019185995.tif 000002
【特許請求の範囲】
【請求項１】
所定方向に並べて配置される複数の蓄電素子と、
前記所定方向に積層して配置される複数の絶縁性部材と、
複数の前記絶縁性部材を前記所定方向において挟み込む外壁部材と、を備え、
複数の前記蓄電素子のうちの少なくとも２つの蓄電素子の電極端子が、前記所定方向において隣り合う２つの前記絶縁性部材の間に挟み込まれて接触している
蓄電装置。
【請求項２】
前記絶縁性部材は、前記蓄電素子に対向する部分に凸部を有している
請求項１に記載の蓄電装置。
【請求項３】
前記所定方向において隣り合う２つの絶縁性部材のそれぞれの前記凸部の間に配置される間隙部材を更に備える
請求項２に記載の蓄電装置。
【請求項４】
前記間隙部材は、絶縁性材料からなる
請求項３に記載の蓄電装置。
【請求項５】
前記間隙部材は、前記所定方向において隣り合う２つの絶縁性部材のそれぞれの前記凸部の間の隙間に対応した形状を有している
請求項３又は４に記載の蓄電装置。
【請求項６】
複数の前記蓄電素子、複数の前記絶縁性部材、及び前記外壁部材の間に形成される隙間に配置される間隙部材を更に備える
請求項１又は２に記載の蓄電装置。
【請求項７】
前記間隙部材は、絶縁性材料からなる
請求項６に記載の蓄電装置。
【発明の詳細な説明】
【技術分野】
【０００１】
本開示は、蓄電装置に関する。
【背景技術】
【０００２】
従来、下記の特許文献１に記載の蓄電装置がある。特許文献１に記載の蓄電装置は、複数の蓄電素子を直列に接続する電極接続具を備えている。電極接続具は、クリップと、スライド枠とにより構成されている。この電極接続具では、隣り合う２つの蓄電素子のうちの一方の蓄電素子の電極端子と他方の蓄電素子の電極端子とをクリップにより挟持した後、クリップにスライド枠を押し込んでクリップの位置ずれを規制することで、２つの蓄電素子のそれぞれの電極端子を挟持して接触させている。
【先行技術文献】
【特許文献】
【０００３】
【特許文献１】特開２０１０−１１８６２５号公報
【発明の概要】
【発明が解決しようとする課題】
【０００４】
ところで、特許文献１に記載の蓄電装置では、３つ以上の蓄電素子を直列に接続する場合、隣り合う蓄電素子のそれぞれの電極端子を接続する箇所が２つ以上存在することになるため、クリップ及びスライド枠がそれぞれ２つ以上必要となる。このような構造の場合、複数のクリップのそれぞれに対してスライド枠を押し込む作業が必要となるため、クリップに対する押し込み力が不十分なスライド枠が存在する可能性がある。仮にクリップに対する押し込み力が十分でないスライド枠が存在する場合、そのスライド枠がクリップから外れるおそれがある。スライド枠がクリップから外れることにより、いずれか２つの蓄電素子のそれぞれの電極端子の接続が遮断されると、複数の蓄電素子の電気的な接続が遮断されることになるため、蓄電装置としての機能を担保することができない。
【０００５】
本開示は、こうした実情に鑑みてなされたものであり、その目的は、より的確に複数の蓄電素子の接続状態を確保することの可能な蓄電装置を提供することにある。
【課題を解決するための手段】
【０００６】
上記課題を解決する蓄電装置は、所定方向に並べて配置される複数の蓄電素子と、所定方向に積層して配置される複数の絶縁性部材と、複数の絶縁性部材を所定方向において挟み込む外壁部材と、を備える。複数の蓄電素子のうちの少なくとも２つの蓄電素子の電極端子が、所定方向において隣り合う２つの絶縁性部材の間に挟み込まれて接触している。
【０００７】
この構成のように、複数の絶縁性部材を外壁部材により挟み込むようにすれば、複数の絶縁性部材のそれぞれに略均一な力を付与することができる。したがって、隣り合う絶縁性部材の間に配置されている蓄電素子の電極端子を略均一な力で挟み込むことができるため、複数の蓄電素子のうちのいずれかの電極端子を挟み込む力が不足するような状況が発生し難くなる。そのため、より的確に複数の蓄電素子の接続状態を確保することが可能となる。
【０００８】
上記の蓄電装置において、絶縁性部材は、蓄電素子に対向する部分に凸部を有していることが好ましい。
この構成によれば、絶縁性部材を蓄電素子に組み付ける際に、絶縁性部材の凸部により蓄電素子の電極端子を変形させることができるため、隣り合う蓄電素子のそれぞれの電極端子を容易に接触させることが可能となる。
【０００９】
上記の蓄電装置において、所定方向において隣り合う２つの絶縁性部材のそれぞれの凸部の間に配置される間隙部材を更に備えることが好ましい。
この構成によれば、絶縁性部材を蓄電素子に組み付ける際に、蓄電素子の電極端子が絶縁性部材の凸部と間隙部材との間に挟み込まれることにより、蓄電素子の電極端子を更に変形させ易くなる。そのため、隣り合う蓄電素子の電極端子を更に容易に接触させることができる。
【００１０】
上記の蓄電装置において、間隙部材は、絶縁性材料からなることが好ましい。
この構成によれば、複数の蓄電素子の間における意図しない電気的な導通を回避することができる。
上記の蓄電装置において、間隙部材は、所定方向の隣り合う２つの絶縁性部材のそれぞれの凸部の間の隙間に対応した形状を有していることが好ましい。
【００１１】
この構成によれば、複数の絶縁性部材のそれぞれの凸部の間の隙間を間隙部材により埋めることができるため、各部材の位置ずれを抑制することができる。
【００１２】
上記の蓄電装置において、複数の前記蓄電素子、複数の絶縁性部材、及び外壁部材の間に形成される隙間に配置される間隙部材を更に備えることが好ましい。
この構成によれば、各部材の間の隙間を間隙部材により埋めることができるため、各部材の位置ずれを抑制することができる。
【発明の効果】
【００１３】
本開示によれば、より的確に複数の蓄電素子の接続状態を確保することの可能な蓄電装置を提供できる。
【図面の簡単な説明】
【００１４】
【図１】図１は、実施形態の蓄電装置の斜視構造を示す斜視図である。
【図２】図２は、実施形態の蓄電装置の正面構造を示す正面図である。
【図３】図３は、実施形態の蓄電素子の斜視構造を示す斜視図である。
【図４】図４は、実施形態の絶縁性部材の斜視構造を示す斜視図である。
【図５】図５は、実施形態の蓄電装置における蓄電素子の電極端子の接続部分周辺の拡大構造を示す拡大図である。
【図６】図６は、実施形態の間隙部材の斜視構造を示す斜視図である。
【図７】図７は、実施形態の蓄電装置の分解斜視構造を示す斜視図である。
【図８】図８は、実施形態の外壁部材の斜視構造を示す斜視図である。
【図９】図９は、実施形態の蓄電装置の分解斜視構造を示す斜視図である。
【図１０】図１０は、実施形態の蓄電装置の組み立て工程の一部を示す正面図である。
【図１１】図１１は、実施形態の蓄電装置の組み立て工程の一部を示す正面図である。
【図１２】図１２は、実施形態の蓄電装置の組み立て工程の一部を示す正面図である。
【図１３】図１３は、他の実施形態の蓄電装置の正面構造を示す正面図である。
【発明を実施するための形態】
【００１５】
以下、蓄電装置の一実施形態について図面を参照しながら説明する。説明の理解を容易にするため、各図面において同一の構成要素に対しては可能な限り同一の符号を付して、重複する説明は省略する。
図１及び図２に示されるように、蓄電装置１０は、複数の蓄電素子２０と、これらを直列に接続する接続部材３０とを備えている。
【００１６】
図３に示されるように、蓄電素子２０は、正極と負極とをセパレータを介して交互に重ねたものをラミネートにより封止した、いわゆるラミネート型の蓄電池である。蓄電素子としては、例えばラミネート型のリチウムイオン電池を用いることができる。蓄電素子２０は、矢印Ｚで示される方向において扁平状に形成されている。Ｚ軸方向に直交する蓄電素子２０の断面形状は略矩形状をなしている。蓄電素子２０は、その中央部分に略直方体状の肉厚部２３を有するとともに、肉厚部２３の外縁に薄肉部２４を有している。肉厚部２３の内部には、正極、負極、及びセパレータ等が収容されている。
【００１７】
なお、以下では、蓄電素子２０の長手方向を「Ｘ軸方向」と称し、蓄電素子２０の短手方向を「Ｙ軸方向」と称する。また、Ｚ軸方向のうちの一方向であるＺ１軸方向を「上方向」とも称し、その反対方向であるＺ２軸方向を「下方向」とも称する。
Ｘ軸方向における蓄電素子２０の両側面には、電極端子２１，２２がそれぞれ設けられている。電極端子２１は、正極端子及び負極端子のいずれか一方であり、電極端子２２は、正極端子及び負極端子のいずれか他方である。図２に示されるように、複数の蓄電素子２０は、Ｚ軸方向に積層するように並べて配置されている。本実施形態では、Ｚ軸方向が所定方向に相当する。
【００１８】
図１及び図２に示されるように、接続部材３０は、複数の絶縁性部材３１と、複数の間隙部材３２と、外壁部材３３，３４とを備えている。
図４に示されるように、絶縁性部材３１は、Ｙ軸方向に延びるように形成された略直方体棒状の部材からなる。絶縁性部材３１は、樹脂等の絶縁性材料により形成されている。Ｘ軸方向における絶縁性部材３１の一方の側壁部は、外側に向かうほど、Ｚ軸方向の幅が徐々に狭くなるように形成されている。これにより、Ｚ軸方向における絶縁性部材３１の側壁部の両側面には、テーパ面３１１が形成されている。また、絶縁性部材３１の側壁部には、そのＺ軸方向の中央部からＸ軸方向に突出するように凸部３１２が形成されている。
【００１９】
図１及び図２に示されるように、複数の絶縁性部材３１は、蓄電素子２０の積層構造のＸ軸方向の一端部と、その反対側の他端部とに積層して配置されている。図５に示されるように、絶縁性部材３１の凸部３１２に沿って蓄電素子２０の薄肉部２４が配置されるとともに、絶縁性部材３１のテーパ面３１１に沿って蓄電素子２０の電極端子２１，２２が配置されている。隣り合う絶縁性部材３１，３１の間には、隣り合う蓄電素子２０，２０のそれぞれの一端部に設けられた電極端子２１，２２が挟み込まれている。これにより、複数の蓄電素子２０の一端部に設けられた電極端子２１，２２のそれぞれの先端部が接触して電気的に接続されている。このような絶縁性部材３１の接続構造により、複数の蓄電素子２０が電気的に直列に接続されている。
【００２０】
図４に示されるように、Ｙ軸方向における絶縁性部材３１の両端部には、ボルト挿入孔３１３がＺ軸方向に貫通するように形成されている。ボルト挿入孔３１３には、図１及び図２に示されるボルト３５が挿入される。複数の絶縁性部材３１が積層されたとき、各絶縁性部材３１のボルト挿入孔３１３はＺ軸方向に連通される。
【００２１】
なお、以下では、蓄電素子２０の積層構造のＸ軸方向の一端部に設けられる絶縁性部材３１を「第１絶縁性部材３１ａ」とも称し、その他端部に設けられる絶縁性部材３１を「第２絶縁性部材３１ｂ」とも称する。
図６に示されるように、間隙部材３２は、Ｙ軸方向に延びるように形成された略直方体棒状の部材からなる。間隙部材３２は、樹脂等の絶縁性材料により形成されている。Ｘ軸方向における間隙部材３２の一方の側壁部は、外側に向かうほど、Ｚ軸方向の幅が徐々に狭くなるように形成されている。これにより、Ｚ軸方向における絶縁性部材３１の側壁部の両側面には、テーパ面３２１が形成されている。
【００２２】
図１及び図２に示されるように、間隙部材３２は、隣り合う絶縁性部材３１，３１のそれぞれの凸部３１２，３１２の間の隙間に配置されている。間隙部材３２は、隣り合う絶縁性部材３１，３１のそれぞれの凸部３１２，３１２の間の隙間に対応した形状を有している。図５に示されるように、間隙部材３２と絶縁性部材３１の凸部３１２との間には、蓄電素子２０の薄肉部２４が挟み込まれている。また、間隙部材３２のテーパ面３２１と絶縁性部材３１のテーパ面３１１との間に形成された隙間には、蓄電素子２０の電極端子２１，２２のそれぞれの基端部が位置している。
【００２３】
図７に示されるように、隣り合う絶縁性部材３１，３１の間には、電圧端子５０が挟み込まれている。電圧端子５０は、隣り合う蓄電素子２０，２０のそれぞれの電極端子２１，２２の接続部分に電気的に接続されている。電圧端子５０は、Ｘ軸方向における絶縁性部材３１の側面から突出するように形成されている。電圧端子５０は、隣り合う絶縁性部材３１，３１の間に挟み込まれることにより、隣り合う蓄電素子２０，２０のそれぞれの電極端子２１，２２に電気的に接続された状態で固定されている。
【００２４】
なお、以下では、隣り合う第１絶縁性部材３１ａ，３１ａのそれぞれの凸部３１２，３１２の間に設けられる間隙部材３２を「第１間隙部材３２ａ」とも称する。また、隣り合う第２絶縁性部材３１ｂ，３１ｂのそれぞれの凸部３１２，３１２の間に設けられる間隙部材３２を「第２間隙部材３２ｂ」とも称する。
【００２５】
図１及び図２に示されるように、蓄電装置１０では、複数の第１絶縁性部材３１ａのうち、最も上方に配置されている第１絶縁性部材３１ａの上半分が蓄電素子２０の積層構造の上端面よりも上方に飛び出している。また、複数の第１間隙部材３２ａのうち、最も下方に配置されている第１間隙部材３２ａの下半分が蓄電素子２０の積層構造の下端面よりも下方に飛び出している。
【００２６】
さらに、蓄電装置１０では、複数の第２絶縁性部材３１ｂのうち、最も下方に配置されている第２絶縁性部材３１ｂの下半分が蓄電素子２０の積層構造の下端面よりも下方に飛び出している。また、複数の第２間隙部材３２ｂのうち、最も上方に配置されている第２間隙部材３２ｂの上半分が蓄電素子２０の積層構造の上端面よりも上方に飛び出している。
【００２７】
図１及び図２に示されるように、上側外壁部材３３は、蓄電素子２０の積層構造の上端部に設けられている。下側外壁部材３４は、蓄電素子２０の積層構造の下端部に設けられている。外壁部材３３，３４は、樹脂等の絶縁性材料からなり、略直方体状に形成されている。上側外壁部材３３の底面には、最も上方に配置された第１絶縁性部材３１ａの上半分が挿入される挿入溝３３０、及び最も上方に配置された第２間隙部材３２ｂの上半分が挿入される挿入溝３３１が形成されている。下側外壁部材３４の上面には、最も下方に配置された第２絶縁性部材３１ｂの下半分が挿入される挿入溝３４０、及び最も下方に配置された第１間隙部材３２ａの下半分が挿入される挿入溝３４１が形成されている。
【００２８】
図８に示されるように、上側外壁部材３３の各角部には、ボルト３５が挿入されるボルト挿入孔３３２が形成されている。同様に、下側外壁部材３４の各角部にも、ボルト３５が挿入されるボルト挿入孔３４２が形成されている。上側外壁部材３３のボルト挿入孔３３２及び下側外壁部材３４のボルト挿入孔３４２は、絶縁性部材３１のボルト挿入孔３１３に連通される。図１及び図２に示されるように、上側外壁部材３３のボルト挿入孔３３２、下側外壁部材３４のボルト挿入孔３４２、及び絶縁性部材３１のボルト挿入孔３１３に挿入されたボルト３５と、その先端部にねじ込まれるナット３６とにより、上側外壁部材３３及び下側外壁部材３４がＺ軸方向において挟み込まれている。また、上側外壁部材３３及び下側外壁部材３４により、第１絶縁性部材３１ａ及び第２絶縁性部材３１ｂがＺ軸方向において挟み込まれている。さらに、第１絶縁性部材３１ａ，３１ａのそれぞれの凸部３１２，３１２の間に、隣り合う蓄電素子２０の薄肉部２４及び第１間隙部材３２ａが挟み込まれている。また、第２絶縁性部材３１ｂ，３１ｂのそれぞれの凸部３１２，３１２の間に、隣り合う蓄電素子２０の薄肉部２４及び第２間隙部材３２ｂが挟み込まれている。このような挟持構造により、蓄電素子２０、絶縁性部材３１、及び間隙部材３２の積層構造が図１及び図２に示される状態で保持されている。
【００２９】
図９に示されるように、最も上方に配置される最上段蓄電素子２０ａの電極端子２１，２２のうち、他の蓄電素子２０に接続されていない電極端子２２には、板状の電流端子４１が電気的に接続されている。電流端子４１は、第２絶縁性部材３１ｂの側面から突出するように形成されている。電流端子４１は、上側外壁部材３３と第２絶縁性部材３１ｂとの間に挟み込まれることにより、最上段蓄電素子２０ａの電極端子２２に電気的に接続された状態で固定されている。
【００３０】
同様に、最も下方に配置される最下段蓄電素子２０ｂの電極端子２１には、板状の電流端子４０が電気的に接続されている。電流端子４０は、第１絶縁性部材３１ａの側面から突出するように形成されている。電流端子４０は、下側外壁部材３４と第１絶縁性部材３１ａとの間に挟み込まれることにより、最下段蓄電素子２０ｂの電極端子２１に電気的に接続された状態で固定されている。
【００３１】
この蓄電装置１０では、所要の機器の配線が電流端子４０，４１に接続される。これにより、蓄電装置１０から所要の機器への放電、並びに所要の機器から蓄電装置１０への充電が可能となる。
また、蓄電装置１０では、電圧端子５０に電圧センサを接続することにより、各蓄電素子２０の端子間電圧を電圧センサにより検出することができる。
【００３２】
次に、本実施形態の蓄電装置１０の製造方法について説明する。
蓄電装置１０の製造の際には、はじめに、図１０に示されるような蓄電素子２０及び間隙部材３２の積層構造を成形する。具体的には、複数の蓄電素子２０を積層して配置するとともに、隣り合う蓄電素子２０，２０のそれぞれの薄肉部２４の隙間に間隙部材３２を配置する。具体的には、Ｘ軸方向における複数の蓄電素子２０の一端部に形成される薄肉部２４，２４の間に形成される複数の隙間に第１間隙部材３２ａを一つ置きに配置する。同様に、Ｘ軸方向における複数の蓄電素子２０の他端部に形成される薄肉部２４，２４の間に形成される複数の隙間に第２間隙部材３２ｂを一つ置きに配置する。この際、第１間隙部材３２ａ及び第２間隙部材３２ｂはＸ軸方向において対向しないように配置する。また、最も下方に配置される蓄電素子２０ｂの薄肉部２４の一端部の底面に当接するように第１間隙部材３２ａを配置するとともに、最も上方に配置される蓄電素子２０ａの薄肉部２４の他端部の上面に当接するように第２間隙部材３２ｂを配置する。これにより、図１０に示されるような蓄電素子２０及び間隙部材３２の積層構造が成形される。
【００３３】
続いて、図１１に示されるように、隣り合う蓄電素子２０，２０のそれぞれの電極端子２１，２２の間に電圧端子５０を挟み込みつつ、複数の蓄電素子２０の薄肉部２４の隙間のうち、間隙部材３２の配置されていない隙間に絶縁性部材３１の凸部３１２が挿入されるように、蓄電素子２０及び間隙部材３２の積層構造に絶縁性部材３１を組み付ける。この際、隣り合う蓄電素子２０，２０のそれぞれの電極端子２１，２２が、間隙部材３２のテーパ面３２１と絶縁性部材３１のテーパ面３１１との間に挟み込まれることにより、間隙部材３２のテーパ面３２１及び絶縁性部材３１のテーパ面３１１に沿って変形する。そして、隣り合う蓄電素子２０，２０のそれぞれの電極端子２１，２２が、隣り合う絶縁性部材３１，３１の間に電圧端子５０と共に挟み込まれる。これにより、図１２に示されるような蓄電素子２０、絶縁性部材３１、及び間隙部材３２の積層構造が成形される。
【００３４】
次に、図１２に示されるように、最下段蓄電素子２０ｂの電極端子２１に接触するように電流端子４０を配置するとともに、最上段蓄電素子２０ａの電極端子２２に接触するように電流端子４１を配置した後、蓄電素子２０、絶縁性部材３１、及び間隙部材３２の積層構造を上側外壁部材３３及び下側外壁部材３４により挟み込む。そして、上側外壁部材３３のボルト挿入孔３３２、下側外壁部材３４のボルト挿入孔３４２、及び絶縁性部材３１のボルト挿入孔３１３にボルト３５を挿入した後、ボルト３５の先端部にナット３６をねじ込むことにより、蓄電装置１０の製造が完了する。
【００３５】
以上説明した本実施形態の蓄電装置１０によれば、以下の（１）〜（５）に示される作用及び効果を得ることができる。
（１）複数の絶縁性部材３１を外壁部材３３，３４により挟み込むようにすれば、複数の絶縁性部材３１のそれぞれに略均一な力を付与することができる。したがって、隣り合う絶縁性部材３１，３１の間に配置されている蓄電素子２０の電極端子２１，２２を略均一な力で挟み込むことができるため、複数の蓄電素子２０のうちのいずれかの蓄電素子２０の電極端子２１，２２を挟み込む力が不足するような状況が発生し難くなる。そのため、より的確に複数の蓄電素子２０の接続を確保することが可能となる。また、仮にいずれかの蓄電素子２０の電極端子２１，２２に接続不良が生じた場合でも、蓄電装置１０の各要素を分解した後に再度組み立てれば、それらの蓄電素子２０の接続状態を容易に修正することができる。また、蓄電素子２０の位置ずれ等にも容易に対応することができる。また、蓄電素子２０の電極端子２１，２２を溶接する必要がないため、その組み立て工程において溶接機等の設備が不要となる。よって、蓄電装置１０の組み立てコストを低減することができる。
【００３６】
（２）絶縁性部材３１は、蓄電素子２０に対向する部分に凸部３１２を有している。これにより、絶縁性部材３１を蓄電素子２０に組み付ける際に、絶縁性部材３１の凸部３１２により蓄電素子２０の電極端子２１，２２を変形させることができるため、隣り合う蓄電素子２０の電極端子２１，２２を容易に接触させることが可能となる。
【００３７】
（３）蓄電装置１０は、Ｚ軸方向において隣り合う２つの絶縁性部材３１，３１のそれぞれの凸部３１２，３１２の間に配置される間隙部材３２を更に備えている。これにより、絶縁性部材３１を蓄電素子２０に組み付ける際に、蓄電素子２０の電極端子２１，２２が絶縁性部材３１の凸部３１２と間隙部材３２とにより挟み込まれることにより、蓄電素子２０の電極端子２１，２２を更に変形させ易くなる。そのため、隣り合う蓄電素子２０の電極端子２１，２２を更に容易に接触させることができる。
【００３８】
（４）間隙部材３２は、絶縁性材料からなる。これにより、複数の蓄電素子２０の間における意図しない電気的な導通を回避することができる。
（５）間隙部材３２は、Ｚ軸方向に隣り合う２つの絶縁性部材３１，３１のそれぞれの凸部３１２，３１２の間の隙間に対応した形状を有している。これにより、複数の絶縁性部材３１，３１のそれぞれの凸部３１２，３１２の間の隙間を間隙部材３２により埋めることができるため、各部材の位置ずれを抑制することができる。
【００３９】
なお、上記実施形態は、以下の形態にて実施することもできる。
・絶縁性部材３１、及び間隙部材３２のそれぞれの形状は適宜変更可能である。また、それらの形状に合わせて、外壁部材３３，３４の形状を適宜変更してもよい。
【００４０】
・上記実施形態の蓄電装置１０の構造を利用して、複数の蓄電素子２０を電気的に並列に接続してもよい。このような蓄電装置１０としては、例えば図１３に示されるような構造を採用することができる。図１３に示される蓄電装置１０では、全ての蓄電素子２０の電極端子２１がＸ１軸方向側に配置され、全ての蓄電素子２０の電極端子２２がＸ２軸方向側に配置されている。この蓄電装置１０は、全ての蓄電素子２０の電極端子２１を挟み込んで接触させる一対の絶縁性部材６０ａ，６０ｂと、全ての蓄電素子２０の電極端子２２を挟み込んで接触させる一対の絶縁性部材６０ａ，６０ｂとを有している。全ての蓄電素子２０の電極端子２１は、電流端子４０に接続されている。また、全ての蓄電素子２０の電極端子２２は、電流端子４１に接続されている。さらに、この蓄電装置１０は、複数の蓄電素子２０、絶縁性部材６０ａ，６０ｂ，６１ａ，６１ｂ、及び外壁部材３３，３４の間に形成される隙間に配置される複数種類の間隙部材７０ａ〜７０ｃを備えている。このような構成によれば、複数の蓄電素子１０が電気的に並列に接続された蓄電装置１０を実現することができる。なお、図１３では、５つの蓄電素子２０を備える蓄電装置１０について例示したが、蓄電装置１０は、少なくとも２つの蓄電素子を備えるものであればよい。また、絶縁性部材６０ａ，６０ｂは、少なくとも２つの蓄電素子の電極端子を挟み込むものであればよい。
【００４１】
・本開示は上記の具体例に限定されるものではない。上記の具体例に、当業者が適宜設計変更を加えたものも、本開示の特徴を備えている限り、本開示の範囲に包含される。前述した各具体例が備える各要素、及びその配置、条件、形状等は、例示したものに限定されるわけではなく適宜変更することができる。前述した各具体例が備える各要素は、技術的な矛盾が生じない限り、適宜組み合わせを変えることができる。
【符号の説明】
【００４２】
１０：蓄電装置
２０：蓄電素子
２１，２２：電極端子
３１，６０ａ，６０ｂ：絶縁性部材
３２，７０ａ〜７０ｃ：間隙部材
３３，３４外壁部材
３１２：凸部
【図１】
2019185995.tif 000003
【図２】
2019185995.tif 000004
【図３】
2019185995.tif 000005
【図４】
2019185995.tif 000006
【図５】
2019185995.tif 000007
【図６】
2019185995.tif 000008
【図７】
2019185995.tif 000009
【図８】
2019185995.tif 000010
【図９】
2019185995.tif 000011
【図１０】
2019185995.tif 000012
【図１１】
2019185995.tif 000013
【図１２】
2019185995.tif 000014
【図１３】
2019185995.tif 000015